(57)【要約】  【課題】  本願発明は、無駄なゴミを極力出すことなく、必要な媒体だけを送付することができ、組立が容易なカレンダー構造体を提供することを目的とする。  【解決手段】  そこで本発明は、表示部と支持部のすべてを紙材などのシート状素材で形成し、素材部に必要な切込を入れる形状にすることにより、シート状素材の切断、切抜きを最小限とした。本発明は、主に切込部への抜差のみによって組立が可能なカレンダー構造体の提供を実現できた。  【選択図】  図１２
2005297396.tif 000002
【特許請求の範囲】
【請求項１】
主に卓上カレンダーとして利用可能なカレンダー構造体であって、
前記カレンダー構造体は、一又は一以上の表示部と一の支持部からなり、
前記表示部は、任意の形状でなるシート状の素材であり、
前記支持部は、全体の形状が略正方形又は略長方形でなるシート状の素材であり、
さらに、前記支持部には、前記支持部の一の辺と略平行となるように、かつ折り目を境として形成される三の片の各々が略正方形又は略長方形となるように三つ折りすることが可能な二の第一折り目が配され、
前記第一折り目を境として前記支持部の左端部に位置する左端片には、上辺の周縁部付近に、切込によって区切られた一の左端片上辺切片部が、下辺の周縁部付近に、切込によって区切られた一の左端片下辺切片部が配され、
前記左端片から前記左端片上辺切片部及び前記左端片下辺切片部を除いた部分である左端片主部は、一の第二折り目を境として左端片左主部及び左端片右主部でなり、前記第二折り目は、前記第一折り目の夫々と略平行となるように、かつ前記第二折り目を境として前記左端片主部を二つ折りにしたとき前記左端片の左辺が前記左端片の右辺とほぼ重なることが可能となるようになっており、
前記左端片には、左辺の周縁部付近に、二又は二以上の、左端片左辺曲線切込部が配され、右辺の周縁部付近に、二又は二以上の左端片右辺曲線切込部が配され、前記夫々の左端片左辺曲線切込部の両端を結ぶ線は、左辺に対し略平行であり、前記夫々の左端片右辺曲線切込部の両端を結ぶ線は、右辺に対し略平行であり、
前記左端片上辺切片部には、前記左端片の上辺と略平行である一又は一以上の左端片上辺切片部直線切込部が配され、
前記左端片下辺切片部には、前記左端片の下辺と略平行である一又は一以上の左端片下辺切片部直線切込部が配され、
前記両第一折り目に挟まれた、前記支持部の中央部に位置する中央片は、上辺の周縁部付近に、上辺と略平行である一又は一以上の中央片上辺直線切込部が配され、下辺の周縁部付近に、下辺と略平行である一又は一以上の中央片下辺直線切込部が配され、
前記第一折り目を境として前記支持部の右端部に位置する右端片は、上辺の周縁部付近に、一又は一以上の右端片上辺曲線切込部が配され、下辺の周縁部付近に、一又は一以上の右端片下辺曲線切込部が配され、さらに、左辺の周縁部付近に、一又は二以上の右端片左辺切込部が配され、さらに、右辺の周縁部に、二又は二以上の右端片右辺垂直切込部が配され、夫々の前記各曲線切込部の両端を結ぶ線とその曲線切込部が周縁部に配されるところの各辺とは略平行であり、
前記支持部を、前記第一折り目を境として、前記左端片を第二折り目を折らずに前記中央片に重ねた際、
前記左端片上辺切片部と前記左端片主部とを区切る切込、及び前記左端片下辺切片部と前記左端片主部とを区切る切込に一又は一以上の前記表示部を挿入することにより、一又は一以上の前記表示部を、前記左端片と前記中央片の間に挟持することが可能となっており、
前記重ね合わせた状態に加えて前記第一折り目を境に前記右端片を前記左端片に重ねる方法により三つ折りして前記各片を重ね合わせた際、前記左端片上辺切片部直線切込部、前記中央片上辺直線切込部、及び右端片上辺曲線切込部が重なり合う位置又はほぼ同じ位置に重なり合う状態となり、前記左端片下辺切片部直線切込部、前記中央片下辺直線切込部、及び前記右端片下辺曲線切込部が重なり合う位置又はほぼ同じ位置に重なり合う状態となり、さらに、前記左端片右辺曲線切込部と前記右端片右辺垂直切込部が重なり合う位置又はほぼ同じ位置に重なり合う状態となり、
前記重なり合う状態となった前記各切込部の夫々の組合せは、前記右端片上辺曲線切込部を前記中央片上辺直線切込部及び前記左端片上辺切片部直線切込部側に押圧することによって、前記右端片上辺曲線切込部を前記左端片上辺切片部直線切込部及び前記中央片上辺直線切込部に差し込むことが可能となっており、さらに、前記右端片下辺曲線切込部を前記中央片下辺直線切込部及び前記左端片下辺切片部直線切込部側に押圧することによって、前記右端片下辺曲線切込部を前記左端片下辺切片部直線切込部及び前記中央片下辺直線切込部に差し込むことが可能となっており、さらに、前記右端片右辺垂直切込部を前記左端片右辺曲線切込部に差し込むことが可能となっており、
次に、前記支持部を、まず、前記第一折り目を境として、前記左端片を第二折り目を折らずにまず前記中央片に重ね、次いで前記左端片主部を、前記第二折り目を境にして、前記左端片左主部が前記右主部の上に重なるようにして二つ折りした際、
一又は一以上の前記表示部を、前記左端片上辺切片部と前記左端片主部とを区切る切込、及び前記左端片下辺切片部と前記左端片主部とを区切る切込に挿入することにより、一又は一以上の前記表示部を前記左端片と前記中央片の間に挟持することが可能であり、
前記重ね合わせた状態に加えて、さらに、前記右端片を前記左端片左主部に重ねる方法により三つ折りして前記各片を重ね合わせた際、前記左端片左辺曲線切込部と前記右端片右辺垂直切込部が重なり合う位置又はほぼ同じ位置に重なり合う状態となり、前記右端片右辺垂直切込部を前記左端片左辺曲線切込部に差し込むことが可能となっており、
さらに、一又は一以上の前記表示部について、その一部の辺を前記右端片左辺切込部に差し込み、さらに、別の一部の辺を前記左端片左辺曲線切込部に差し込むことによって、一又は一以上の前記表示部を前記右端片に固定することが可能である
ことを特徴とするカレンダー構造体。
【請求項２】
前記各曲線切込部は、いずれも、その弧の中心が、前記各曲線切込部が周縁部に配されるところの辺がある方向にあることを特徴とする、請求項１に記載のカレンダー構造体。
【請求項３】
前記支持部は、前記各片の一又は一以上の片の一部に任意の形状の欠落部、突起部及び／又は弁舌部を有することを特徴とする請求項１、２のいずれか一に記載のカレンダー構造体。
【請求項４】
前記各切込部の全部又は一部の両端に、略円形の小開口部が配されたことを特徴とする、請求項１から３のいずれか一に記載のカレンダー構造体。
【請求項５】
前記各切込部の全部又は一部の両端の形状が、円弧形であることを特徴とする、請求項１から３のいずれか一に記載のカレンダー構造体。
【請求項６】
前記各垂直切込部の全部又は一部について、一の垂直切込部を構成する二の切込線が、各垂直切込部の外側に向かって折れ曲がる態様による鉤状をなし、
さらに、前記各垂直切込部に対応する前記各曲線切込部の両端部の形状が、前記各曲線切込部の弧形とは反対向きとなる弧形を描く
ことを特徴とする、請求項１から３のいずれか一に記載のカレンダー構造体。
【請求項７】
前記右端片左辺切込部は、二又は二以上の、弧形の中心点を前記第一折り目側に有する弧形であることを特徴とする、請求項１から６のいずれか一に記載のカレンダー構造体。
【発明の詳細な説明】
【技術分野】
【０００１】
本願発明は、主に卓上カレンダーの用途に用いるための構造体に関するものである。
【背景技術】
【０００２】
従来の卓上カレンダーの典型的なものは、後傾した支持面とこれを支える脚などでなる支持部と、一か月分の日付を片面又は両面に表示した複数枚の表示部とからなるものである。そして、透明プラスチックのケースでなる支持部に、複数枚の表示部を重ね合わせて入れ、当該月のカレンダーを表示する表示部を前面に位置させるようにするものが多かった。
【０００３】
そして、支持部は、前記のとおり、主に、合成樹脂の成形物又は合成樹脂のシートを組み立てたものが多かった。
【０００４】
そして、上記のような卓上カレンダーは、製品の性質上、１年が経過すると不要となり、廃棄処分されることが多い。そのため、特に、合成樹脂の支持部について、毎年多量の不燃物ごみが発生し、焼却など処分の方法が不十分なものであれば、環境に悪影響を与える恐れがあった。
【０００５】
そのため、特許文献１から５などに開示された発明は、全部品が紙製の卓上カレンダーを提供し、上記環境問題に一定の解決を示している。
【０００６】
【特許文献１】特開２００１−２６０５６９号公報
【０００７】
【特許文献２】特開２００２−１４４７６３号公報
【０００８】
【特許文献３】特開２００２−１４４７６４号公報
【０００９】
【特許文献４】特開２００３−０１１５４６号公報
【００１０】
【特許文献５】特開２００４−０５８４７８号公報
【発明の開示】
【発明が解決しようとする課題】
【００１１】
しかし、卓上カレンダーを郵送で送る場合にはもちろん、販促品として配布する場合にも、支持部と表示部を封筒に入れたうえ、接着剤、接着テープ、ステイプリングその他の方法で封をすることが多かった。そして、従前の方法によっても、また、特許文献１から５などに開示された発明によっても、封筒は送付終了後は不要となり、無駄なゴミとなることになった。同様に、接着剤、接着テープ、ステイプリングといった環境に悪影響を与える恐れのある廃棄物も発生することになった。
【００１２】
また、特許文献１から５などに開示された発明はいずれも、紙材を組み立てて卓上カレンダーの形状とするため、四角形の紙材の一部を切断したり切り抜いたりして特殊な形状とする必要があり、製造の過程で無駄な廃棄物が発生する、という問題があった。
【００１３】
さらに、カレンダーのユーザーはカレンダーの表示部に自己の予定を書きこむことを行なうことが多いが、特許文献１から５などに開示された発明によっても、組立後の立体形状のカレンダーに字を書き込むことは困難なことが多かった。
【課題を解決するための手段】
【００１４】
そこで本発明は、表示部と支持部のすべてを紙材などのシート状素材で形成することにより、環境に悪影響を与える素材を使用せず、破棄処分が簡単に行なえるようにするカレンダーを提供するのみならず、さらに、それ自身だけで郵送することができ、無駄なゴミを極力出すことがなく、かつ通信の秘密の保護をはかることのできるカレンダー構造体を提供することも目的とする。
【００１５】
さらに、本発明による支持部は、カレンダーに組み立てる前の形状は、できる限り四角形を維持することにより、シート状素材の切断、切抜きを最小限とし、それによって無駄な廃棄物の発生を抑え、さらに環境に配慮した製品を提供することができる。
【００１６】
さらに、本発明は、製造及びユーザーによる組み立てが容易で、机上に安定して置くことができ、カレンダーのユーザーが組立後のカレンダーの表示部に自己の予定を容易に書きこむことを可能とするカレンダー構造体の提供をも目的とする。
【００１７】
本発明は、前記目的を達するため、以下の実施形態で説明される特徴を有するカレンダー構造体を提供する。
【発明の効果】
【００１８】
本願発明によれば、必要なシート状素材に切込部等を設けることによってカレンダー支持部を形成することにより、かつ、カレンダー支持部を封筒代わりとして郵送又は提供することができるため、製造時、送付時及び廃棄時のいずれにおいても無駄なゴミを極力出すことがない、環境に配慮された製品の提供が可能となった。
【００１９】
さらに、接着剤等を使用することなく、簡易に製造が可能であり、カレンダーの組立時にも人の手だけで作業を行うことができるため、製造工程を減少させることができ、媒体作成の大幅なコストダウンを実現し、さらに、取扱が簡易なカレンダーの提供が可能となった。
【００２０】
さらに、カレンダー組立後も、カレンダーのユーザーはカレンダー支持部を押圧することにより平面体とすることができ、机上において容易に予定を書き込むことが可能となった。
【発明を実施するための最良の形態】
【００２１】
<実施形態の概要について>
【００２２】
本実施形態のカレンダー構造体は、任意の形状でなるシート状の素材である一又は一以上の表示部と、全体の形状が略正方形又は略長方形でなるシート状の素材である一の支持部からなり、
【００２３】
そして、前記支持部には、前記支持部の一の辺と略平行となるように、かつ折り目を境として形成される三の片の各々が略正方形又は略長方形となるように三つ折りすることが可能な二の第一折り目が配され、
【００２４】
前記第一折り目を境として前記支持部の左端部に位置する左端片には、上辺の周縁部付近に、切込によって区切られた一の左端片上辺切片部が、下辺の周縁部付近に、切込によって区切られた一の左端片下辺切片部が配され、
【００２５】
前記左端片から前記左端片上辺切片部及び前記左端片下辺切片部を除いた部分である左端片主部は、一の第二折り目を境として左端片左主部及び左端片右主部でなり、前記第二折り目は、前記第一折り目の夫々と略平行となるように、かつ前記第二折り目を境として前記左端片主部を二つ折りにしたとき前記左端片の左辺が前記左端片の右辺とほぼ重なることが可能となるようになっており、
【００２６】
前記左端片には、左辺の周縁部付近に、二又は二以上の、左端片左辺曲線切込部が配され、右辺の周縁部付近に、二又は二以上の左端片右辺曲線切込部が配され、前記夫々の左端片左辺曲線切込部の両端を結ぶ線は、左辺に対し略平行であり、前記夫々の左端片右辺曲線切込部の両端を結ぶ線は、右辺に対し略平行であり、
【００２７】
前記左端片上辺切片部には、前記左端片の上辺と略平行である一又は一以上の左端片上辺切片部直線切込部が配され、
【００２８】
前記左端片下辺切片部には、前記左端片の下辺と略平行である一又は一以上の左端片下辺切片部直線切込部が配され、
【００２９】
前記両第一折り目に挟まれた、前記支持部の中央部に位置する中央片は、上辺の周縁部付近に、上辺と略平行である一又は一以上の中央片上辺直線切込部が配され、下辺の周縁部付近に、下辺と略平行である一又は一以上の中央片下辺直線切込部が配され、
【００３０】
前記第一折り目を境として前記支持部の右端部に位置する右端片は、上辺の周縁部付近に、一又は一以上の右端片上辺曲線切込部が配され、下辺の周縁部付近に、一又は一以上の右端片下辺曲線切込部が配され、さらに、左辺の周縁部付近に、二又は二以上の中央片左辺曲線切込部が配され、さらに、右辺の周縁部に、二又は二以上の右端片右辺垂直切込部が配され、夫々の前記各曲線切込部の両端を結ぶ線とその曲線切込部が周縁部に配されるところの各辺とは略平行であり、
【００３１】
前記支持部を、前記第一折り目を境として、前記左端片を第二折り目を折らずに前記中央片に重ねた際、
【００３２】
前記左端片上辺切片部と前記左端片主部とを区切る切込、及び前記左端片下辺切片部と前記左端片主部とを区切る切込に一又は一以上の前記表示部を挿入することにより、一又は一以上の前記表示部を、前記左端片と前記中央片の間に挟持することが可能となっており、
【００３３】
前記重ね合わせた状態に加えて前記第一折り目を境に前記右端片を前記左端片に重ねる方法により三つ折りして前記各片を重ね合わせた際、前記左端片上辺切片部直線切込部、前記中央片上辺直線切込部、及び右端片上辺曲線切込部が重なり合う位置又はほぼ同じ位置に重なり合う状態となり、前記左端片下辺切片部直線切込部、前記中央片下辺直線切込部、及び前記右端片下辺曲線切込部が重なり合う位置又はほぼ同じ位置に重なり合う状態となり、さらに、前記左端片右辺曲線切込部と前記右端片右辺垂直切込部が重なり合う位置又はほぼ同じ位置に重なり合う状態となり、
【００３４】
前記重なり合う状態となった前記各切込部の夫々の組合せは、前記右端片上辺曲線切込部を前記中央片上辺直線切込部及び前記左端片上辺切片部直線切込部側に押圧することによって、前記右端片上辺曲線切込部を前記左端片上辺切片部直線切込部及び前記中央片上辺直線切込部に差し込むことが可能となっており、さらに、前記右端片下辺曲線切込部を前記中央片下辺直線切込部及び前記左端片下辺切片部直線切込部側に押圧することによって、前記右端片下辺曲線切込部を前記左端片下辺切片部直線切込部及び前記中央片下辺直線切込部に差し込むことが可能となっており、さらに、前記右端片右辺垂直切込部を前記左端片右辺曲線切込部に差し込むことが可能となっており、
【００３５】
次に、前記支持部を、まず、前記第一折り目を境として、前記左端片を第二折り目を折らずにまず前記中央片に重ね、次いで前記左端片主部を、前記第二折り目を境にして、前記左端片左主部が前記右主部の上に重なるようにして二つ折りした際、
【００３６】
一又は一以上の前記表示部を、前記左端片上辺切片部と前記左端片主部とを区切る切込、及び前記左端片下辺切片部と前記左端片主部とを区切る切込に挿入することにより、一又は一以上の前記表示部を前記左端片と前記中央片の間に挟持することが可能であり、
【００３７】
前記重ね合わせた状態に加えて、さらに、前記右端片を前記左端片左主部に重ねる方法により三つ折りして前記各片を重ね合わせた際、前記左端片左辺曲線切込部と前記右端片右辺垂直切込部が重なり合う位置又はほぼ同じ位置に重なり合う状態となり、前記右端片右辺垂直切込部を前記左端片左辺曲線切込部に差し込むことが可能となっており、
【００３８】
さらに、一又は一以上の前記表示部について、その一部の辺を前記右端片左辺切込部に差し込み、さらに、別の一部の辺を前記左端片左辺曲線切込部に差し込むことによって、一又は一以上の前記表示部を前記右端片に固定することが可能である
ことを特徴とするカレンダー構造体である。
【００３９】
<本実施形態の具体例について>
【００４０】
以下、図１〜図１４を用いて、本実施形態を説明する。図１は、本実施形態の支持部の組立前の一例を示した平面図であり、図３は、表示部の一を示した平面図である。本実施形態の支持部を組み立てて表示部の一を固定して卓上カレンダー形状にしたものの斜視図が、図１２である。
【００４１】
<支持部について>
【００４２】
<支持部の概要>
【００４３】
まず、図１のとおり、支持部００１は、第一折り目００３及び００４を境に、左端片（これは図においては左端片左主部００５、左端片右主部００８、左端片上辺切片部００６、及び左端片下辺切片部００７を合わせたものである。）、中央片００９、右端片０１０で構成される。
【００４４】
前記左端片、中央片００９、右端片０１０各々は略正方形又は略長方形となる。
【００４５】
前記第一折り目００３、００４は、前記支持部の辺０２５及び０３４と略平行となるように、かつ前記左端片、中央片００９、右端片０１０各々が略正方形又は略長方形となるように三つ折りされることが可能となるよう、略直線の形状を持つ折り目である。
【００４６】
なお、本明細書において左端片とは、図１においてたまたま左端に位置している片を便宜的に左端片といい、同様に中央片とは、図１においてたまたま中央に位置している片をいい、右端片とは、図１においてたまたま右端に位置している片をいうに過ぎず、図１における支持部を上から眺めれば、前記左端片は右端に来ることになる。右端片も同様である。以下本明細書において同様である。
【００４７】
<支持部の大きさ、材質、形状等>
【００４８】
支持部は、弾性のある薄板状のシートである。シート状素材部の形状は略正方形又は略長方形であればよく、大きさは特に問わないが、支持部を卓上カレンダーとして使用する目的などのためには、前記第一折り目で区切られた一片の大きさは官製葉書とほぼおなじ大きさにすることが考えられる。
【００４９】
また、前記支持部の機能を損なうことがない範囲で、各片の一又は一以上の片の一部に任意の形状の欠落部、突起部及び／又は弁舌部を配することも可能である（請求項３）。これによって、デザイン上のアクセントを設けたりすることが可能である。
【００５０】
支持部の材質は、特に問わず、紙、合成樹脂等、折り曲げが可能なあらゆるシート状媒体を含むが、環境に配慮した製品を提供する場合は、紙であることが望ましい。
【００５１】
支持部の厚さは特に問わないが、０．０５ｍｍ以上１ｍｍ以下とするのがよい。シート状素材部の厚さが０．０５ｍｍより薄いと、シート状素材部に後述する切込部、舌片部を設け、舌片部を切込部に抜差しする為に必要な強度を確保することができないからである。しかし、シート状素材部の厚さは、かかる厚さには限定されず、切込部相互の抜差しが可能であればどのような厚さであってもよい。
【００５２】
<左端片について>
【００５３】
<左端片：概要>
【００５４】
次に、前記左端片には、上辺０２６の周縁部付近に、切込０２８によって区切られた一の左端片上辺切片部００６が、下辺の周縁部付近に、切込０２９によって区切られた一の左端片下辺切片部００７が配されている。図１のとおり、前記切込０２８は、前記左端片の上辺から、図でみるところの斜め右下方向に開始し、弧状を描きながら、左端片の途中で終了する形が望ましい。同様に前記切込０２９は、前記左端片の下辺から、図でみるところの斜め右上方向に開始し、弧状を描きながら、左端片の途中で終了する形が望ましい。それは、前記各切込を前記のような形状とすることにより、後に述べるとおり、表示部を前記各切込に挿入し固定することが可能となるからである。
【００５５】
そして、前記左端片から左端片上辺切片部００６及び左端片下辺切片部００７を除いた部分である左端片主部（図では、左端片左主部００５と左端片右主部００８を合わせたものである）は、第二折り目００２を境として左端片左主部００５及び左端片右主部００８でなる。第二折り目００２は、第一折り目００３、００４の夫々と略平行となるように、かつ第二折り目００２を境として前記左端片主部を二つ折りにしたとき左端片の左辺０２５が前記左端片の右辺（すなわち前記第一折り目００２）とほぼ重なることが可能となるように配される。
【００５６】
そして、前記左端片には、左辺０２５の周縁部付近に、左端片左辺曲線切込部０１７、０１８が配され、右辺の周縁部付近に、左端片右辺曲線切込部０１９、０２０が配される。左端片左辺曲線切込部０１７、０１８の夫々の両端を結ぶ夫々の線は、左辺０２５に対し略平行であり、前記夫々の左端片右辺曲線切込部０１９、０２０の両端を結ぶ線は、第一折り目００３に対し略平行である。
【００５７】
左端片左辺曲線切込部の数は、２〜３であることが望ましいが、左端片左辺曲線切込部の大きさを小さくすれば、それ以上の数にすることも可能である。しかし、左端片左辺曲線切込部の数が多くなると、左端片左辺曲線切込部に右端片右辺垂直切込部又は表示部を抜き差しする際に手数がかかることとなるため、望ましくない。左端片右辺曲線切込部の数についても同様である。
【００５８】
さらに、左端片上辺切片部００６には、前記左端片の上辺０２６と略平行である左端片上辺切片部直線切込部０１１が配され、左端片下辺切片部００７には、前記左端片の下辺０２７と略平行である左端片下辺切片部直線切込部０１２が配される。
【００５９】
左端片上辺切片部直線切込部又は左端片下辺切片部直線切込部の数は、１〜２であることが望ましいが、切込部の大きさを小さくすれば、それ以上の数にすることも可能である。しかし、切込部相互の抜き差しする際に手数がかかることとなるため、多くなりすぎると望ましくない。
【００６０】
<左端片：直線切込部について>
【００６１】
本明細書において直線切込部とは、支持部の一部を略直線の形状に切り込んだ部分である。本明細書において同様である。
【００６２】
前記略直線の長さは問わないが、１．５ｃｍ以上１０ｃｍ以下が望ましい。しかし、他の切込部との間の固定が可能であれば、長さは問わない。
【００６３】
図１では、直線切込部は、各辺の周縁部に配されたが、周縁部とは、片の中心部よりは辺に近いところにあるという意味である（以下本明細書において同様である。）。しかし、直線切込部は、辺より０．１ｃｍ〜５ｃｍの間の位置にあることが望ましいが、支持部の機能を阻害しない範囲において自由な位置に設けることができる。
【００６４】
また、左端片上辺切片部直線切込部０１１及び左端片下辺切片部直線切込部０１２の両端は、図１に示すとおり、円弧形とするか（請求項５）、両端に連なる略円形の小開口部が配される（請求項４）ことが望ましい。
【００６５】
それは、前記両端を、円弧形としたり、両端に連なる略円形の小開口部を配したりすることによって、後記のように、支持部を第一折り目００３及び００４を境に折り重ね、右端片上辺曲線切込部０１５を、左端片上辺切片部直線切込部０１１に、右端片下辺曲線切込部０１６を、左端片下辺切片部直線切込部０１２に、それぞれ押圧するとき、左端片上辺切片部直線切込部０１１及び左端片下辺切片部直線切込部０１２の両端にかかる応力を分散して、前記端部に裂け目が入ったり、切込が大きくなったりすることを可及的に防止することができるからである。
【００６６】
なお、両端に前記略円形の小開口部を設ける方法によれば、製造時に開口部を形成する際に廃棄物が発生するが、両端部の切込を円弧形とする方法によれば、廃棄物が発生することがないため、環境に配慮した製品を提供するという観点からは、後者の方法が望ましい。
【００６７】
<左端片：曲線切込部について>
【００６８】
本明細書において曲線切込部とは、支持部の一部を略弧状に切り込んだ部分をいう。本明細書において同様である。
【００６９】
前記曲線切込部の長さは問わないが、切込部の両端を結ぶ直線の長さが１．５ｃｍ以上１０ｃｍ以下が望ましい。しかし、他の切込部との間の固定が可能であれば、長さは問わない。
【００７０】
また、曲線切込部は、辺より０．１ｃｍ〜５ｃｍの間の位置にあることが望ましいが、支持部の機能を阻害しない範囲において自由な位置に設けることができる。
【００７１】
また、左端片左辺曲線切込部０１７、０１８、及び、左端片右辺曲線切込部０１９、０２０の両端は、図１に示すとおり、各曲線切込部の弧形とは反対向きとなる小さな弧形を描くか（請求項６）、円弧形とするか（請求項５。図示しないが、円弧形の形状は、右端片上辺曲線切込部０１５と同様の形状である）、両端に連なる略円形の小開口部が配される（請求項４。図示しない。）ことが望ましい。
【００７２】
それは、前記両端に、前記いずれかの形状を設けることにより、左端片左辺曲線切込部０１７、０１８、及び、左端片右辺曲線切込部０１９、０２０に、右端片右辺垂直切込部０２３及び０２４を挿入するとき、前記各曲線切込部の両端にかかる応力を分散して、前記端部に裂け目が入ったり、切込が大きくなったりすることを可及的に防止することができるからである。
【００７３】
前記曲線切込部の略弧状の曲率半径は、１０ｍｍ以上５５ｍｍ以下とするのがよい。前記弧状の曲率半径が１０ｍｍより短い場合、また５５ｍｍより長い場合のいずれの場合も、前記垂直切込部への抜差しがしづらくなるからである。しかし、曲率半径は、かかる長さには限定されず、垂直切込部と曲線切込部の相互固定と固定解除が可能であればどのような長さであってもよい。
【００７４】
また、図１に示すように前記各曲線切込部は、いずれも、その弧の中心が、前記各曲線切込部が周縁部に配されるところの辺がある方向にあるように配することが最適である（請求項２）。
【００７５】
<中央片について>
【００７６】
中央片００９は、支持部のうち、第一折り目００３及び第一折り目００４に挟まれた、前記支持部の中央部に位置する略正方形又は略長方形の片である。
【００７７】
中央片００９は、上辺０３０の周縁部付近に、上辺０３０と略平行である中央片上辺直線切込部０１３が配され、下辺０３１の周縁部付近に、下辺と略平行である中央片下辺直線切込部０１４が配されている。
【００７８】
中央片上辺直線切込部０１３及び中央片下辺直線切込部０１４の長さ、数、位置及び端部の形状については、前記左端片における直線切込部の説明と同様であるが、中央片上辺直線切込部０１３の長さは、左端片上辺切片部直線切込部０１１と同じ又はほぼ同じであり、中央片下辺直線切込部０１４の長さは、左端片下辺切片部直線切込部０１２の長さと同じ又はほぼ同じであることが最適である。それは、支持部を第一折り目００３及び００４を境に折り重ね、右端片上辺曲線切込部０１５を、左端片上辺切片部直線切込部０１１及び中央片上辺直線切込部０１３に、右端片下辺曲線切込部０１６を、左端片下辺切片部直線切込部０１２及び中央片下辺直線切込部０１４に、それぞれ押圧するとき、右端片上辺曲線切込部０１５を左端片上辺切片部直線切込部０１１及び中央片上辺直線切込部０１３に容易に固定することが、右端片下辺曲線切込部０１６を左端片下辺切片部直線切込部０１２及び中央片下辺直線切込部０１４に容易に固定することが、それぞれ可能となるためである。
【００７９】
<右端片について>
【００８０】
<右端片：概要>
【００８１】
右端片０１０は、支持部のうち、第一折り目００４及び右辺０３４に挟まれた、前記支持部の右端に位置する略正方形又は略長方形の片である。
【００８２】
右端片０１０の右辺０３４の端に沿って、右端片右辺垂直切込部０２３及び０２４が配されている。
【００８３】
さらに、上辺０３２の周縁部付近に、両端を結ぶ直線が上辺０３２と略平行である右端片上辺曲線切込部０１５が配され、下辺０３３の周縁部付近に、両端を結ぶ直線が下辺０３３と略平行である右端片下辺曲線切込部０１６が配されている。
【００８４】
さらに、左辺すなわち第一折り目００４の周縁部付近に、右端片左辺切込部０２１及び０２２が配されている。
【００８５】
<右端片：垂直切込部について>
【００８６】
垂直切込部とは、支持部の一部の辺の端部から、同辺に対しほぼ垂直の方向になした、相互に略平行である二の略直線の形状の切込及び同切込の間に挟まれた切片でなる。本明細書において同様である。
【００８７】
前記略直線の長さは問わない。また、前記二の略直線の間の間隔は、図１のとおり、支持部を第一折り目を境に折り重ねたときに、垂直切込部と重なる位置に来る曲線切込部の両端を直線で結んだ長さとほぼ同じか、その長さより短い必要がある。図１でいえば、後記のとおり、垂直切込部０２３については、支持部００１を第一折り目００３及び第一折り目００４を境に折り重ねたとき、左端片左辺曲線切込部０１７又は左端片右辺曲線切込部０１９に、垂直切込部０２３を差し込むことになるから、垂直切込部０２３の二の略直線の間の間隔は、左端片左辺曲線切込部０１７の両端を直線で結んだ長さ及び左端片右辺曲線切込部０１９の両端を直線で結んだ長さのいずれとも同じか、これらより短い必要がある。最も望ましいのは、同じ長さとするか、１〜３ミリメートル短くする形態である。それよりも短いものになると、前記垂直切込部を前記曲線切込部に挿入した後も、前記垂直切込部が前記曲線切込部の中で左右に動くことになり、固定性が不十分になるからである。以上のことは、垂直切込部０２４を、支持部００１を第一折り目００３及び第一折り目００４を境に折り重ねたとき、左端片左辺曲線切込部０１８又は左端片右辺曲線切込部０２０に差し込むときにも同様のことがいえる。
【００８８】
右端片右辺垂直切込部の数は、二又は二以上である必要があるが、二又は三であることが望ましい。それは、左端片左辺曲線切込部の数等についての説明で述べたのと同様、切込部どうしの抜き差しの手数を少なくするためである。
【００８９】
また、図１に示すとおり各垂直切込部の端部にかかる応力を分散して、前記各切込部の端部に裂け目が入ったり、切込が大きくなったりしないようにし、かつ、各垂直切込部と、これらを抜き差しする曲線切込部との抜き差しをスムーズにするために、各垂直切込部の全部又は一部の形状について、一の垂直切込部を構成する二の切込線をいずれも鉤状とすることもできる（請求項６）。鉤状とは、図１の右端片右辺垂直切込部０２３でいえば、 垂直切込部０２３を構成する二の切込線が、内側の端部が鉤状に折れ曲がっている状態をいう。そして、鉤状の形状は、図１のとおり、各垂直切込部の外側に向かって折れ曲がる必要がある。また、同様の目的から、前記各切込線の内側の端部を略円形状に切り抜くこともできる（請求項４）。しかし、無駄な廃棄物を極力出さないという観点からは、前者の方法がより望ましい。
【００９０】
<右端片：曲線切込部について>
【００９１】
右端片上辺曲線切込部０１５及び右端片下辺曲線切込部０１６の数は、それぞれ１〜２であることが望ましいが、切込部の大きさを小さくすれば、それ以上の数にすることも可能である。しかし、切込部相互の抜き差しする際に手数がかかることなるため、多くなりすぎると望ましくない。
【００９２】
右端片左辺切込部０２１及び右端片左辺切込部０２２の数は、あわせて２〜３であることが望ましいが、切込部の大きさを小さくすれば、それ以上の数にすることも可能である。しかし、切込部と表示部との抜き差しする際に手数がかかることなるため、多くなりすぎると望ましくない。
【００９３】
右端片上辺曲線切込部０１５の長さは問わないが、切込部の両端を結ぶ直線の長さが、左端片上辺切片部直線切込部０１１及び中央片上辺直線切込部０１３とほぼ同じであることが望ましい。しかし、他の切込部との間の固定が可能であれば、長さは問わない。
【００９４】
右端片下辺曲線切込部０１６についても、切込部の両端を結ぶ直線の長さが、左端片下辺切片部直線切込部０１２及び中央片下辺直線切込部０１４とほぼ同じであることが望ましい。しかし、他の切込部との間の固定が可能であれば、長さは問わない。
【００９５】
また、右端片上辺曲線切込部０１５及び右端片下辺曲線切込部０１６は、辺より０．１ｃｍ〜５ｃｍの間の位置にあることが望ましいが、支持部の機能を阻害しない範囲において自由な位置に設けることができる。
【００９６】
また、各切込部は、図１に示すとおり、各曲線切込部の弧形とは反対向きとなる小さな弧形を描くか（請求項６、図示しないが、弧形の形状は、左端片右辺曲線切込部０１９と同様のものとなる。）、円弧形とするか（請求項５。図１）、両端に連なる略円形の小開口部が配される（請求項４。図示しない。）ことが望ましい。
【００９７】
そのほか、前記曲線切込部の略弧状の曲率半径、及び弧形の中心の最適な位置については、左端片に配される曲線切込部と同様である。
【００９８】
<右端片：左辺切込部について>
【００９９】
右端片右辺垂直切込部は、支持部を、後記のとおり組み立て、図１２に示すとおりの形態にしたとき、表示部の上辺を右端片右辺垂直切込部に差し込み、表示部と支持部を固定するための切込部である。
【０１００】
右端片左辺切込部の数は一又は一以上であり、その大きさと形状は、表示部を差し込んで固定できるような形状であればどんなものでもよい。図１では、弧形の中心点を第一折り目００４側に有する弧形である右端片左辺切込部０２１及び０２２でなっているが（請求項７）、その他、例えば、第一折り目の周縁部に第一折り目に沿って、比較的長い、鋸形又は波形の切込部を設けることも可能である。また、二又は二以上の、突端を右辺方向に向けた山形の切込部を設けたり、さらには、富士山のような形や貝殻のような形のものも考えられる。
【０１０１】
右端片左辺切込部の端部に、略円形の開口部を配したり、端部を弧形等にすることも可能である（請求項４〜６）。
【０１０２】
<各切込部の相互の位置関係>
【０１０３】
また、前記各切込部の相互の位置関係は以下のとおりである。まず、支持部００１を、第一折り目００３を境として、前記左端片を第二折り目００２を折らずに中央片００９に重ね、さらに第一折り目００４を境に右端片０１０を前記左端片に重ねる方法により三つ折りして各片を重ね合わせた際、左端片上辺切片部直線切込部０１１、中央片上辺直線切込部０１３、及び右端片上辺曲線切込部０１５は、重なり合う位置又はほぼ同じ位置に重なり合う状態となることが必要である。さらに、左端片下辺切片部直線切込部００７、中央片下辺直線切込部０１４、及び右端片下辺曲線切込部０１６も、同様に重なり合う位置又はほぼ同じ位置に重なり合う状態となることが必要である。さらに、左端片右辺曲線切込部０１９、０２０と右端片右辺垂直切込部０２３、０２４がそれぞれ重なり合う位置又はほぼ同じ位置に重なり合う状態となることも必要である。
【０１０４】
加えて、支持部を、第一折り目００３を境として、前記左端片を第二折り目００２を折らずにまず中央片００９に重ね、次いで前記左端片主部を、第二折り目００２を境にして、左端片左主部００５が右主部００８の上に重なるようにして二つ折りし、さらに、右端片０１０を左端片左主部００５に重ねる方法により三つ折りして各片を重ね合わせた際、左端片左辺曲線切込部０１７、０１８と右端片右辺垂直切込部０２３、０２４が重なり合う位置又はほぼ同じ位置に重なり合う状態となることも必要である。
【０１０５】
<表示部について>
【０１０６】
表示部は、図３及び図４に示されるように、一又は一以上の、シート状素材でなる。その大きさ及び形状は、後記のとおり支持部に固定される限りにおいて任意であるが、本発明をカレンダー構造体として使用する場合、表示部は、カレンダー情報を示すものとなるため、略正方形又は略長方形となることが望ましい。
【０１０７】
表示部の素材、厚さについては、支持部における説明と同様である。
【０１０８】
<本実施形態の使用の一例（１）>
【０１０９】
まず、支持部００１を、第一折り目００３、００４を境として、前記左端片を第二折り目００２を折らずに中央片００１に重ねる。重ねた後の図が、図２である。
【０１１０】
このとき、図５のとおり、左端片上辺切片部００６と前記左端片主部とを区切る切込０２８、及び左端片下辺切片部００７と前記左端片主部とを区切る切込０２９には、一又は一以上の表示部０３５等を挿入することが可能である。そして、図５のとおり、一又は一以上の表示部０３５等を、前記左端片主部と、中央片００９及び前記両左端片切片部００６、００７の間に挟持することが可能となる。そして、表示部０３５等は、切込０２８及び０２９の間に挟持されるため、図２でいう上下に大きく動くことはない。
【０１１１】
さらに、前記の重ね合わせた状態に加えて第一折り目００４を境に右端片０１０を前記左端片に重ねる方法により三つ折りして各片を重ね合わせる。このときの図が、図６である。このとき、左端片上辺切片部直線切込部０１１、中央片上辺直線切込部０１３、及び右端片上辺曲線切込部０１５が重なり合う位置又はほぼ同じ位置に重なり合う状態となり、左端片下辺切片部直線切込部００７、中央片下辺直線切込部０１４、及び右端片下辺曲線切込部０１６が重なり合う位置又はほぼ同じ位置に重なり合う状態となり、さらに、左端片右辺曲線切込部０１９、０２０と右端片右辺垂直切込部０２３、０２４が重なり合う位置又はほぼ同じ位置に重なり合う状態となる。
【０１１２】
そして、図６のとおり、右端片上辺曲線切込部０１５を、中央片上辺直線切込部０１３及び左端片上辺切片部直線切込部０１１側に押圧することによって、右端片上辺曲線切込部を左端片上辺切片部直線切込部及び中央片上辺直線切込部に差し込む。さらに、右端片下辺曲線切込部０１６を、中央片下辺直線切込部０１４及び左端片下辺切片部直線切込部側０１２に押圧することによって、右端片下辺曲線切込部０１６を左端片下辺切片部直線切込部０１２及び中央片下辺直線切込部０１４に差し込む。これによって、三つ折りされた支持部００１は、図６でいう上下の周縁部を固く固定することができた。
【０１１３】
さらに、右端片右辺垂直切込部０２３を、左端片右辺曲線切込部０１９に、水平方向に滑らせるように差し込み、同様に、右端片右辺垂直切込部０２４を、左端片右辺曲線切込部０２０に差し込み、それぞれ相互に固定した。図７は、図６の支持部００１を裏側から見た図である。
【０１１４】
このような状態において、支持部は、上下左右いずれも固定され、ほぼ封緘された状態となった。そのため、支持部の表面又は裏面に、切手を貼り、宛名を書くなどすることにより、支持部そのものを郵送することも可能である。また、郵送しないとしても、支持部に、自由に文字、画像などを記入したり印刷したりすることが可能である。
【０１１５】
また、前記のとおり、支持部は、何ら特別な道具又は接着剤を使用することなく、人の手だけで固定することができた。
【０１１６】
<本実施形態の使用の一例（２）>
【０１１７】
次に、例えば、表示部が同封された支持部を受け取った人がいるとする。その人は、図７の上辺付近及び下辺付近の切込部があるところを、指などで押すことにより、各切込部の相互固定を容易に解除することができる。
【０１１８】
さらに、図６の、右端片右辺垂直切込部０２３を、左端片左辺曲線切込部０１９からスライドさせるように抜くことにより、同様に右端片右辺垂直切込部０２４を、左端片左辺曲線切込部０２０からスライドさせるように抜くことにより、それぞれの固定を解除することができる。
【０１１９】
それぞれの固定を解除した後、右端片０１０を展開し、さらに、左端片左主部００８を第二折り目００２に沿って左端片右主部００５の上に折り重ねた図が、図８である。
【０１２０】
ここで本実施形態を卓上カレンダーとして用いる場合、該当する月にあたる表示部を、支持部から取り出し、他の表示部は、所定の場所に残すことができる。図９は、１月のカレンダー情報が印刷又は記載されている表示部０３５を取り出したところである。
【０１２１】
表示部０３５を取り出した後、右端片０１０を、第一折り目００４を境として、前記左端片左主部の上に重ねる。そうすると、左端片左辺曲線切込部０１７、０１８と右端片右辺垂直切込部０２３、０２４が重なり合う位置又はほぼ同じ位置に重なり合う状態となるため、図１０のように、左端片左辺曲線切込部０１７に右端片右辺垂直切込部０２３を、左端片左辺曲線切込部０１８に右端片右辺垂直切込部０２４を、それぞれ右端片右辺垂直切込部を水平にスライドさせるようにして挿入することが可能である。
【０１２２】
次いで、表示部０３５の一辺を、左端片左辺曲線切込部０１７、０１８に挿入し、他の一辺を、右端片左辺切込部０２１、０２２に挿入し、表示部０３５を、支持部００１の右端片０１０に固定することができた。固定後の図が、図１１である。
【０１２３】
そして、前記のように重ね合わせた支持部００１は、右端片０１０と中央片００９を両脚として、机上その他の面上に立たせることができる（図１２）。そして、図１３は、図１２を下から見たものであるが、右端片０１０と中央片００９の両脚の下側が、左端片左主部００５及び左端片右主部００８で連結されているため、右端片０１０と中央片００９の両脚の幅を自由に変えることができるだけでなく、右端片０１０と中央片００９の両脚の幅が広がりすぎて立体の形状が失われることを防ぐ役割も持つことができている。なお、図１３には図示されていないが、先に述べたとおり、通常、左端片左主部００８と、左端片上辺切片部及び左端片下辺切片部との間には、使用されていない表示部が保持されている。
【０１２４】
このようにして、何の道具又は接着剤も要さず、支持部を容易に組み立てることができた。
【０１２５】
さらに、支持部００１の組立後も、右端片０１０を中央片００９側に押圧するならば、支持部００１を扁平状にすることができる。そのため、図１４のとおり、机上において容易に予定を書き込むことが可能である。
【産業上の利用可能性】
【０１２６】
本発明は、上述のとおり、卓上等に使用できるカレンダーとして、また、郵送物包装用容器として、また、封筒等を利用しない媒体の直接郵送手段として利用すると有用である。
【図面の簡単な説明】
【０１２７】
【図１】本実施形態の支持部の構成の一例を示す平面図
【図２】本実施形態の支持部の構成の一例を示す平面図
【図３】本実施形態の表示部の一例を示す図
【図４】本実施形態の表示部の一例を示す図
【図５】本実施形態の使用例の一例を示す図
【図６】本実施形態の使用例の一例を示す図
【図７】本実施形態の使用例の一例を示す図
【図８】本実施形態の使用例の一例を示す図
【図９】本実施形態の使用例の一例を示す図
【図１０】本実施形態の使用例の一例を示す図
【図１１】本実施形態の使用例の一例を示す図
【図１２】本実施形態の使用例の一例を示す斜視図
【図１３】本実施形態の使用例の一例を示す斜視図
【図１４】本実施形態の使用例の一例を示す図
【符号の説明】
【０１２８】
００１    支持部
００２  第二折り目
００３〜００４      第一折り目
００５  左端片左主部
００６  左端片上辺切片部
００７  左端片下辺切片部
００８  左端片右主部
００９  中央片
０１０  右端片
０１１  左端片上辺切片部直線切込部
０１２  左端片下辺切片部直線切込部
０１３  中央片上辺直線切込部
０１４  中央片下辺直線切込部
０１５  右端片上辺曲線切込部
０１６  右端片    下辺曲線切込部
０１７、０１８  左端片左辺曲線切込部
０１９、０２０  左端片右辺曲線切込部
０２１、０２２  右端片左辺切込部
０２３、０２４  右端片右辺垂直切込部
０２５  左端片左辺
０２６  左端片上辺
０２７  左端片下辺
０２８、０２９  切込
０３０  中央片上辺
０３１  中央片下辺
０３２  右端片上辺
０３３  右端片下辺
０３４  右端片右辺
０３５、０３６  表示部
【図１】
2005297396.tif 000003
【図２】
2005297396.tif 000004
【図３】
2005297396.tif 000005
【図４】
2005297396.tif 000006
【図５】
2005297396.tif 000007
【図６】
2005297396.tif 000008
【図７】
2005297396.tif 000009
【図８】
2005297396.tif 000010
【図９】
2005297396.tif 000011
【図１０】
2005297396.tif 000012
【図１１】
2005297396.tif 000013
【図１２】
2005297396.tif 000014
【図１３】
2005297396.tif 000015
【図１４】
2005297396.tif 000016